(57)【特許請求の範囲】
【請求項１】
複数の入力装置のうち１つから出力される情報を、複数の出力装置のうち１つ又は複数により出力させる情報出力システムにおいて、
ポインタの指示方向を判断する指示方向判断手段と、
前記ポインタの指示方向に基づいて、前記複数の入力装置の中から１つを特定する入力装置特定手段と、
前記ポインタの指示方向に基づいて、前記複数の出力装置の中から１つ又は複数を特定する出力装置特定手段と、
前記入力装置特定手段により特定される前記入力装置から出力される情報を、前記出力装置特定手段により特定される前記出力装置に供給する情報供給手段と、
を含むことを特徴とする情報出力システム。
【請求項２】
請求項１に記載の情報出力システムにおいて、
前記入力装置特定手段は、前記ポインタの指示方向と、前記複数の入力装置に関する各位置と、に基づいて、前記複数の入力装置の中から１つを特定する、
ことを特徴とする情報出力システム。
【請求項３】
請求項１又は２に記載の情報出力システムにおいて、
前記出力装置特定手段は、前記ポインタの指示方向と、前記複数の出力装置に関する各位置と、に基づいて、前記複数の出力装置の中から１つ又は複数を特定する、
ことを特徴とする情報出力システム。
【請求項４】
請求項１乃至３のいずれかに記載の情報出力システムにおいて、
前記入力装置特定手段は、前記ポインタに対する所定の操作が行われたタイミングにおける前記ポインタの指示方向に基づいて、前記複数の入力装置の中から１つを特定する、
ことを特徴とする情報出力システム。
【請求項５】
請求項１乃至４のいずれかに記載の情報出力システムにおいて、
前記出力装置特定手段は、前記ポインタに対する所定の操作が行われたタイミングにおける前記ポインタの指示方向に基づいて、前記複数の出力装置の中から１つ又は複数を特定する、
ことを特徴とする情報出力システム。
【請求項６】
請求項１乃至５のいずれかに記載の情報出力システムにおいて、
前記複数の入力装置の中から１つ又は複数を出力制限装置として指定する出力制限装置指定手段をさらに含み、
前記入力装置特定手段は、前記複数の入力装置のうち前記出力制限装置を特定することを制限する、
ことを特徴とする情報出力システム。
【請求項７】
複数の入力装置のうち１つから出力される情報を、複数の出力装置のうち１つ又は複数により出力させる情報出力方法において、
ポインタの指示方向を判断する指示方向判断ステップと、
前記ポインタの指示方向に基づいて、前記複数の入力装置の中から１つを特定する入力装置特定ステップと、
前記ポインタの指示方向に基づいて、前記複数の出力装置の中から１つ又は複数を特定する出力装置特定ステップと、
前記入力装置特定ステップで特定される前記入力装置から出力される情報を、前記出力装置特定ステップで特定される前記出力装置に供給する情報供給ステップと、
を含むことを特徴とする情報出力方法。
【発明の詳細な説明】
【技術分野】
【０００１】
本発明は情報出力システム及び情報出力方法に関し、特に複数の入力装置及び複数の出力装置から、その任意の組合せをユーザが直感的に指定することができる新規なインタフェース技術に関する。
【背景技術】
【０００２】
複数の入力装置（パーソナルコンピュータ等）から任意の１つを選択するとともに、複数の出力装置（プロジェクタ等）から任意の１又は複数を選択して、選択された入力装置から入力される情報を、選択された出力装置から出力させる場合、従来、切替装置が使用されることが多い。切替装置は、複数の入力装置の出力端子が接続されており、また、複数の出力装置の入力端子が接続される。切替装置には、ボタンやダイヤル等の操作部材が備えられており、この操作部材を操作することにより、入力装置と出力装置との組合せを指定できるようになっている。
【０００３】
また、下記特許文献１には、カメラで他の装置を映し出すと、その装置とのリンクが自動的に確立される、”gaze-link”なるシステムが開示されている。
【特許文献１】特開２００１−１４２８２５号公報
【発明の開示】
【発明が解決しようとする課題】
【０００４】
しかしながら、切替装置を用いる場合には、どのように操作部材を操作すると、どの入力装置とどの出力装置とが指定されることになるのか、ユーザは事前に了知しなければならず、直感的操作が困難であるという問題がある。また、上記”gaze-link”なるシステムは、そもそも、入力装置と出力装置との組合せを任意に指定することを可能とするものではない。
【０００５】
本発明は上記課題に鑑みてなされたものであって、その目的は、複数の入力装置と複数の出力装置から、その任意の組合せを直感的に指定することができる情報出力システム及び情報出力方法を提供することにある。
【課題を解決するための手段】
【０００６】
上記課題を解決するために、本発明に係る情報出力システムは、複数の入力装置のうち１つから出力される情報を、複数の出力装置のうち１つ又は複数により出力させる情報出力システムにおいて、ポインタの指示方向を判断する指示方向判断手段と、前記ポインタの指示方向に基づいて、前記複数の入力装置の中から１つを特定する入力装置特定手段と、前記ポインタの指示方向に基づいて、前記複数の出力装置の中から１つ又は複数を特定する出力装置特定手段と、前記入力装置特定手段により特定される前記入力装置から出力される情報を、前記出力装置特定手段により特定される前記出力装置に供給する情報供給手段と、を含むことを特徴とする。
【０００７】
また、本発明に係る情報出力方法は、複数の入力装置のうち１つから出力される情報を、複数の出力装置のうち１つ又は複数により出力させる情報出力方法において、ポインタの指示方向を判断する指示方向判断ステップと、前記ポインタの指示方向に基づいて、前記複数の入力装置の中から１つを特定する出力装置特定ステップと、前記ポインタの指示方向に基づいて、前記複数の出力装置の中から１つ又は複数を特定する出力装置特定ステップと、前記入力装置特定ステップで特定される前記入力装置から出力される情報を、前記出力装置特定ステップで特定される前記出力装置に供給する情報供給ステップと、を含むことを特徴とする。
【０００８】
本発明によれば、ポインタの指示方向に基づいて入力装置及び出力装置が特定されるので、ユーザはポインタを用いて適切に指示を行うことで、非常に直感的に入力装置及び出力装置の組合せを指定できるようになる。
【０００９】
なお、前記入力装置特定手段は、前記ポインタの指示方向と、前記複数の入力装置に関する各位置と、に基づいて、前記複数の入力装置の中から１つを特定するようにしてもよい。また、前記出力装置特定手段は、前記ポインタの指示方向と、前記複数の出力装置に関する各位置と、に基づいて、前記複数の出力装置の中から１つ又は複数を特定するようにしてもよい。入力装置に関する位置は、入力装置の位置そのものであってもよいし、例えば入力装置の情報を出力中のプロジェクタの位置や、そのプロジェクタにより映像が映し出されているスクリーンの位置等、入力装置に関連する位置であれば、どのような位置でもよい。出力装置に関する位置も、出力装置の位置そのものであってもよいし、例えばプロジェクタのスクリーンの位置等、出力装置に関連する位置であれば、どのような位置でもよい。
【００１０】
また、前記入力装置特定手段は、前記ポインタに対する所定の操作が行われたタイミングにおける前記ポインタの指示方向に基づいて、前記複数の入力装置の中から１つを特定するようにしてもよい。また、前記出力装置特定手段は、前記ポインタに対する所定の操作が行われたタイミングにおける前記ポインタの指示方向に基づいて、前記複数の出力装置の中から１つ又は複数を特定するようにしてもよい。
【００１１】
また、本発明の一態様では、前記複数の入力装置の中から１つ又は複数を出力制限装置として指定する出力制限装置指定手段をさらに含み、前記入力装置特定手段は、前記複数の入力装置のうち前記出力制限装置を特定することを制限する。こうすれば、出力制限手段として指定された入力装置については、そこから出力される情報が出力装置に供給されることが制限されるようになり、必要に応じてプライバシーを確保することができる。
【発明を実施するための最良の形態】
【００１２】
以下、本発明の一実施形態について図面に基づき詳細に説明する。
【００１３】
図１は、本発明の一実施形態に係る情報出力システムの構成を示す図である。同図に示すように、本実施形態に係る情報出力システム１０は、複数のパーソナルコンピュータ１２、切替装置１４、複数のプロジェクタ１６、複数のカメラ２０、ポインタ２２を含んで構成されている。これらは、例えば大会議室等の部屋の各所に配置されている。パーソナルコンピュータ１２は、プレゼンテーション用のドキュメント等を作成、保存、画面表示するものであり、表示画面の信号は、切替装置１４を介して、いずれかのプロジェクタ１６にも出力されるようになっている。プロジェクタ１６は、この表示画面の信号を用いて、パーソナルコンピュータ１２の表示画面の内容をスクリーン１８に投影するものであり、これにより大人数でドキュメントの内容を見ることができるようになっている。ここで、パーソナルコンピュータ１２と切替装置１４、プロジェクタ１６と切替装置１４、カメラ２０と切替装置１４は、それぞれ有線又は無線により接続されている。
【００１４】
この情報出力システム１０では、ポインタ２２を情報源（入力装置）として用いるパーソナルコンピュータ１２の１つに向けて所定の操作を行い、さらに同ポインタ２２を出力装置として用いる１又は複数のプロジェクタ１６に向けて所定の操作を行うことで、所望のパーソナルコンピュータ１２の表示画面の内容を、所望のプロジェクタ１６によりスクリーン１８に投影することができる点が特徴的である。また、ポインタ２２を情報源（入力装置）として用いるパーソナルコンピュータ１２の１つに向けて所定の操作を行い、さらに同ポインタ２２を１又は複数のスクリーン１８に向けて所定操作を行うことで、所望のパーソナルコンピュータ１２の表示画面の内容を、所望のスクリーン１８に投影することができる点が特徴的である。
【００１５】
このため、切替装置１４はコンピュータを内蔵しており、このコンピュータには情報出力システム１０が配置された室内全体を各々映し出す、互いに離間して配置された複数のカメラ２０が接続されており、これらのカメラ２０により撮影される室内全体の動画像、予め登録された室内におけるプロジェクタ１６、スクリーン１８、パーソナルコンピュータ１２、カメラ２０の各位置と、に基づいて、ポインタ２２が、複数のプロジェクタ１６、複数のスクリーン１８、複数のパーソナルコンピュータ１２のうち、どれを指し示しているかを解析している。例えば、切替装置１４には、予めポインタ２２の色や形状等の外観上の特徴が予め登録されており、各動画像からポインタ２２の外観上の特徴が表れた位置を検出し、そこからポインタ２２の位置座標（例えば３次元座標や２次元座標等）、及びポインタ２２の指示方向を算出している。ポインタ２２の指示方向は、３次元ベクトル又は２次元ベクトルの形式で算出してもよいし、プロジェクタ１６、複数のスクリーン１８、複数のパーソナルコンピュータ１２のうち、どの位置を指示しているかを示す情報の形式で算出してもよい。
【００１６】
なお、ポインタ２２の指示方向の算出は、上記説明の方法に限られず、例えば上記説明では複数のカメラ２０により複数方向から室内を撮影し、それの画像からポインタ２２の指示方向を算出したが、一台のカメラ２０により撮影された動画像からポインタ２２の指示方向を判断してもよい。
【００１７】
また、光の干渉模様を利用した位置計測システムを用いてポインタ２２の指示方向を判断してもよい。すなわち、ポインタ２２に複数の３次元タグ（光の干渉模様を生じさせる光学レンズ系を備えた小型レーザー光発生器）を取り付けておき、部屋の壁や天井に複数の受光センサーを設置しておく。そして、ポインタ２２の各３次元タグから発せられる光の干渉模様を受光センサーで検知して、各３次元タグの位置を特定するとともに、そこからポインタ２２の指示方向を演算してもよい。（特開２００４−２８９７７号公報参照）
【００１８】
さらに、複数のプロジェクタ１６、複数のスクリーン１８、複数のパーソナルコンピュータ１２のそれぞれに赤外線受光器等の特定方向の信号を受信する装置を設けるとともに、ポインタ２２の先端に赤外線発光器等の特定方向に信号を発する装置を設けて、ポインタ２２から発せられる信号を受信した場合に、その装置が切替装置１４に対して自装置がポインタ２２により指示されたことを通知してもよい。
【００１９】
切替装置１４とポインタ２２とは近距離無線通信ができるようになっており、ポインタ２２に設けられたボタンの操作の内容は近距離無線通信を利用して切替装置１４に送信されるようになっている。切替装置１４は、通信内容からポインタ２２にて入力装置を指示する操作が行われた判断される場合に、そのタイミングにおけるポインタ２２の指示方向を、例えば上述した方法により算出するとともに、こうして算出される指示方向に基づいて１つの入力装置を特定する。また、通信内容からポインタ２２にて出力装置を指示する操作が行われたと判断される場合に、そのタイミングにおけるポインタ２２の指示方向を、例えば上述した方法により算出するとともに、こうして算出される指示方向に基づいて１つの出力装置を特定する。ある入力装置（パーソナルコンピュータ１２）の表示画面を出力する出力装置（プロジェクタ１６）は複数特定されてもよく、この場合には、通信内容からポインタ２２にて出力装置を指示する操作が行われたと判断される度に、そのタイミングにおけるポインタ２２の指示方向を、例えば上述した方法により算出する。そして、算出される指示方向に基づいて、さらに出力装置をさらに特定する。
【００２０】
ポインタ２２の操作手順としては、まずパーソナルコンピュータ１２を指示した後に、スクリーン１８を指示する方法がある。逆に、スクリーン１８を指示した後に、パーソナルコンピュータ１２を指示するようにしてもよい。こうすれば、指示されたパーソナルコンピュータ１２が入力装置として選択され、指示されたスクリーン１８に情報を投影するプロジェクタ１６が出力装置として選択され、これらの機器の間でコンピュータ画面の信号の授受がなされるよう切替装置１４が制御される。
【００２１】
また、パーソナルコンピュータ１２を指示した後に、プロジェクタ１６を指示してもよい。逆に、プロジェクタ１６を指示した後に、パーソナルコンピュータ１２を指示するようにしてもよい。こうすれば、指示されたパーソナルコンピュータ１２が入力装置として選択され、指示されたプロジェクタ１６が出力装置として選択され、これらの機器の間で信号の授受がなされるよう切替装置１４が制御される。
【００２２】
また、パーソナルコンピュータ１２を指示した後に、複数のスクリーン１８を指示してもよい。逆に、複数のスクリーン１８を指示した後に、パーソナルコンピュータ１２を指示してもよい。こうすれば、指示されたパーソナルコンピュータ１２が入力装置として選択され、指示されたスクリーン１８に情報を投影する複数のプロジェクタ１６が出力装置として選択され、これらの機器の間で信号の授受がなされるよう切替装置１４が制御される。この場合、同じ情報が複数のスクリーン１８に投影される。
【００２３】
また、パーソナルコンピュータ１２を指示した後に、複数のプロジェクタ１６を指示してもよい。逆に、複数のプロジェクタ１６を指示した後に、パーソナルコンピュータ１２を指示するようにしてもよい。こうすれば、指示されたパーソナルコンピュータ１２が入力装置として選択され、指示された複数のプロジェクタ１６が出力装置として選択され、これらの機器の間で信号の授受がなされるよう切替装置１４が制御される。この場合も、同じ情報が複数のプロジェクタ１６により投影される。
【００２４】
また、スクリーン１８やプロジェクタ１６を指示した後、複数のパーソナルコンピュータ１２を順次指示するようにしてもよい。こうすれば、指示されたスクリーン１８に情報を投影するプロジェクタ１６、又は指示されたプロジェクタ１６が出力装置として選択される。また、順次指示されるパーソナルコンピュータ１２が入力装置として順次選択される。この場合、選択された１つの出力装置により、複数の入力装置の情報が順に出力されることになり、いわゆるザッピングが可能となる。
【００２５】
さらに、既にいずれかのパーソナルコンピュータ１２の情報を投影しているプロジェクタ１６又はスクリーン１８を指示し、これにより入力装置を指定させるようにしてもよい。すなわち、現在の入力装置と出力装置の組合せを切替装置１４で管理（記憶）しておき、プロジェクタ１６又はスクリーン１８が指示された場合に、その指示されたプロジェクタ１６又はスクリーン１８により表示画面が投影されているパーソナルコンピュータ１２が入力装置として指定されたと判断する。こうすれば、スクリーン１８に大きく投影されたコンピュータ画面を見ながら入力装置を指定でき、ユーザの利便性が向上する。
【００２６】
次に、ポインタ２２による指示方向の入力方法について説明する。ポインタ２２はユーザが手にするものであり、その指示方向は刻々と変化する。そこで、ポインタ２２の指示方向を算出するタイミングをユーザが切替装置１４に指示する必要がある。また、そのタイミングでのポインタ２２の指示方向を用いて、入力装置と出力装置のどちらを特定すべきかを、ユーザが切替装置１４に指示する必要がある。
【００２７】
このためには、ポインタ２２にボタンを備えておき、このボタンが押下されているか否かを上記の近距離無線通信により切替装置１４に送信するようにすればよい。そして、最初にボタンが押下された場合に、その押下タイミングにおけるポインタ２２の指示方向に基づいて入力装置を特定し、次にボタンが押下された場合に、その押下タイミングにおけるポインタ２２の指示方向に基づいて出力装置を特定すればよい。逆に、最初のボタンが押下された場合に、その押下タイミングにおけるポインタ２２の指示方向に基づいて出力装置を特定し、次にボタンが押下された場合に、その押下タイミングにおけるポインタ２２の指示方向に基づいて入力装置を特定してもよい。
【００２８】
さらに、ボタンが押下された場合に、その押下タイミングにおけるポインタ２２の指示方向に基づいて入力装置を特定し、ボタンの押下が終わった場合に、そのタイミングにおけるポインタ２２の指示方向に基づいて出力装置を特定してもよい。こうすれば、入力装置として用いるパーソナルコンピュータ１２に対してポインタ２２を向けてボタンを押し、そのままボタンを押した状態でポインタ２２を出力装置として用いるプロジェクタ１６、又はそのプロジェクタ１６により情報が投影されるスクリーン１８に向けてからボタンの押下を止めることで、入力装置及び出力装置の組合せを、いわゆるドラッグアンドドロップの方式で指示することができる。
【００２９】
或いは、ポインタ２２に、入力装置を決定するためのボタンと、出力装置を決定するためのボタンの２つを備えるようにして、前者が押下されたタイミングにおけるポインタ２２の指示方向に基づいて入力装置を特定し、後者が押下されたタイミングにおけるポインタ２２の指示方向に基づいて出力装置を特定してもよい。
【００３０】
また、決定ボタンの長押し（所定時間以上継続して押下すること）、２回押し（所定時間以内に２回連続して押下すること）、決定ボタンとは別に備えられたホールドボタンの押下により、選択内容をホールドできるようにしてもよい。こうすれば、同じ情報を複数の出力装置で出力させたり、或いは同じ出力装置で複数の入力装置の情報を順次出力したりする操作を容易化できる。
【００３１】
また、ポインタ２２にキャンセルボタンを設けておき、直前の操作を取り消すことができるようにしてもよい。また、ポインタ２２にリセットボタンを設けておき、一連の操作をすべて取り消すことができるようにしてもよい。さらに、操作完了までに一定時間が経過した場合に、それまでの全ての操作を取り消すようにしてもよい。
【００３２】
また、ポインタ２２により入力装置や出力装置として指定された装置をユーザが明確に理解できるよう、指定された入力装置や出力装置から音、振動、表示等の確認出力を行うようにしてもよい。具体的には、切替装置１４においてポインタ２２の指示方向に基づいて入力装置が特定された場合に、切替装置１４からその入力装置（パーソナルコンピュータ１２のうちいずれか）に対して制御データを送信して、該入力装置にて所定の確認出力を行うようにすればよい。同様に、切替装置１４においてポインタ２２の指示方向に基づいて出力装置が特定された場合には、切替装置１４からその出力装置（プロジェクタ１６のうちいずれか）に対して制御データを送信して、該出力装置にて所定の確認出力を行うようにすればよい。
【００３３】
また、ポインタ２２に液晶等の表示手段を備えるようにして、ユーザの指示内容（入力装置及び出力装置として選択された機器の名称等）を表示するようにしてもよい。さらに、各パーソナルコンピュータ１２にプログラムを常駐させておき、該プログラムによりポインタ２２による操作内容を各パーソナルコンピュータ１２で表示させるようにしてもよい。
【００３４】
さらに、任意のパーソナルコンピュータ１２やプロジェクタ１６に対して利用禁止の設定を行うようにしてもよい。この場合、パーソナルコンピュータ１２やプロジェクタ１６に対してハードウェアスイッチ又はソフトウェアスイッチを設けて、それらを用いて利用禁止の旨の設定を行う。ソフトウェアスイッチの場合には、パスワードの入力により利用禁止の設定の解除ができないようにしておくことが望ましい。そして、この設定は切替装置１４に対して送信される。切替装置１４では、各装置の設定を参照して、利用禁止の旨が設定された装置については、入力装置や出力装置として選択することを制限する。ポインタ２２の指示方向に基づいて、入力装置や出力装置として特定された装置が、利用禁止の旨が設定されているものである場合には、当該装置又は他の装置において利用禁止の設定を解除するよう求めるダイアログを表示するようにすれば好適である。
【００３５】
ここで、ポインタ２２の具体例及び該ポインタ２２を用いた入力装置及び出力装置の指定例を説明する。
【００３６】
図２は、ポインタ２２の外観の一例を示す図である。同図に示すように、ポインタ２２はディスプレイ２２ｂ、キャンセルボタン２２ｃ、入力装置決定ボタン２２ｅ、出力装置決定ボタン２２ｄを備えている。入力装置決定ボタン２２ｅは、パーソナルコンピュータ１２のうちいずれかの方向にポインタ２２を向けた状態で押下することにより、そのパーソナルコンピュータ１２を入力装置（情報源）として指定するものであり、該入力装置決定ボタン２２ｅを押下したことは、上述した近距離無線通信により切替装置１４に通知される。切替装置１４は、その通知タイミングにおけるポインタ２２の指示方向を判断し、そこから入力装置を特定する。キャンセルボタン２２ｃは、こうして行われる入力装置の特定を解除するものである。出力装置決定ボタン２２ｄは、複数のプロジェクタ１６、複数のスクリーン１８のうちいずれかの方向にポインタ２２を向けた状態で押下することにより、そのプロジェクタ１６又はスクリーン１８を出力装置として指定するものである。出力装置決定ボタン２２ｄを押下したことも、上述した近距離無線通信により切替装置１４に通知される。切替装置１４は、その通知タイミングにおけるポインタ２２の指示方向を判断し、そこから出力装置を特定する。ディスプレイ２２ｂは、ポインタ２２の指示方向に基づいて決定された入力装置及び出力装置の組が表示される、ＬＣＤ等の表示手段であり、その表示内容は切替装置１４から上述した近距離無線通信により送信されるようになっている。
【００３７】
図３に示す利用形態では、ユーザはパーソナルコンピュータ１２のうち任意の１つ（ここではＰＣ［Ａ］）にポインタ２２を向けて、入力装置決定ボタン２２ｅを押下するとともに、スクリーン１８又はプロジェクタ１６のうち任意の１つ（ここではプロジェクタ［Ａ］）にポインタ２２を向けて、出力装置決定ボタン２２ｄを押下する。その順序はどちらが先でもよい。この態様によれば、パーソナルコンピュータ１２の表示画面の内容を所望の場所に投影することができる。
【００３８】
また、図４に示す利用態様では、ユーザはパーソナルコンピュータ１２のうち任意の１つ（ここではＰＣ［Ａ］）にポインタ２２を向けて、入力装置決定ボタン２２ｅを長押し（上述したホールドを行うための操作）する。そして、スクリーン１８又はプロジェクタ１６のうち任意の１つ（ここではプロジェクタ［Ａ］）にポインタ２２を向けて、出力装置決定ボタン２２ｄを押下する。さらに、別の任意のスクリーン１８又はプロジェクタ１６（ここではプロジェクタ［Ｂ］）にポインタ２２を向けて、出力装置決定ボタン２２ｄを押下する。この態様によれば、１つのパーソナルコンピュータ２２の表示画面の内容を、複数の所望の場所に投影することができる。
【００３９】
図５に示す利用態様では、ユーザはスクリーン１８又はプロジェクタ１６のうち、パーソナルコンピュータ１２の表示画面の投影に用いられているものから任意の１つ（ここではプロジェクタ［Ａ］）にポインタ２２を向けて、入力装置決定ボタン２２ｅを押下する。これにより、ポインタ２２が向けられたスクリーン１８又はプロジェクタ１６により画面が投影中のパーソナルコンピュータ１２が入力装置として特定される。次に、他のスクリーン１８又はプロジェクタ１６にポインタ２２を向けて、出力装置決定ボタン２２ｄを押下する。これにより、出力装置が特定される。この態様によれば、非常に直感的な操作で投影位置を移動させることができる。
【００４０】
以上説明したように、ポインタ２２の指示方向に基づいて入力装置及び出力装置が特定されるので、ユーザは非常に直感的に入力装置及び出力装置の組合せを指定できるようになる。
【００４１】
なお、本発明は上記実施形態に限定されるものではない。例えば、上記実施形態では、切替装置１４にどの入力装置とどの出力装置が指定されたかを判断する機能を持たせるようにしたが、別体のコンピュータがこの機能を担うようにしてもよい。また、コンピュータ１２のうち一部又は全部がこの機能を担うようにしてもよい。
【図面の簡単な説明】
【００４２】
【図１】本発明の実施形態に係る情報出力システムの構成図である。
【図２】ポインタの外観を示す図である。
【図３】本発明の実施形態に係る情報出力システムの動作例を説明する図である。
【図４】本発明の実施形態に係る情報出力システムの他の動作例を説明する図である。
【図５】本発明の実施形態に係る情報出力システムのさらに他の動作例を説明する図である。
【符号の説明】
【００４３】
１０  情報出力システム、１２  パーソナルコンピュータ、１４  切替装置、１６  プロジェクタ、１８  スクリーン、２０  カメラ、２２  ポインタ、２２ｂ  ディスプレイ、２２ｃ  キャンセルボタン、２２ｄ  出力装置決定ボタン、２２ｅ  入力装置決定ボタン。
【図１】
0004631634.tif 000002
【図２】
0004631634.tif 000003
【図３】
0004631634.tif 000004
【図４】
0004631634.tif 000005
【図５】
0004631634.tif 000006